【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
入力フルカラー画像データに対し補正処理を行うことにより生成された補正後画像データを所定の標準符号化方式で符号化することにより生成された主画像符号化ストリームを復号する主画像復号部と、
前記入力フルカラー画像データと前記補正後画像データに対し前記補正処理の逆処理を行うことにより生成された逆処理後画像データとの間の差分に基づく差分画像データを符号化することにより生成された差分画像符号化ストリームを復号する差分画像復号部と、
前記主画像復号部の出力と、前記差分画像復号部の出力とを合成する合成部と、
を備える画像処理装置。
【請求項２】
前記標準符号化方式は、ＪＰＥＧ（Joint  Photographic  Experts  Group）方式である、請求項１に記載の画像処理装置。
【請求項３】
前記差分画像復号部は、前記差分画像符号化ストリームを前記標準符号化方式で復号する、請求項１又は請求項２に記載の画像処理装置。
【請求項４】
前記補正後画像データは、前記入力フルカラー画像データのビット深度よりも少ないビット深度を有する、請求項１〜３のいずれか１項に記載の画像処理装置。
【請求項５】
前記差分画像復号部によりサポートされる画素値レンジに合わせて正規化された前記差分画像データの画素値を逆正規化する逆正規化部、をさらに備える、請求項１〜４のいずれか１項に記載の画像処理装置。
【請求項６】
前記差分画像復号部により出力される前記差分画像データのサイズを復元すべきフルカラー画像データのサイズに合わせて拡大する拡大部、をさらに備え、
前記合成部は、前記補正後画像データを用いて復元されるフルカラー画像データと前記拡大部により拡大された前記差分画像データとを合成する、
請求項１〜５のいずれか１項に記載の画像処理装置。
【請求項７】
前記差分画像符号化ストリームは、第１グループの差分画素値を含むストリーム及び第２グループの差分画素値を含むストリームを含み、
前記第１グループは、白とびが生じる可能性のある画素のためのグループであり、
前記第２グループは、黒つぶれが生じる可能性のある画素のためのグループであり、
前記差分画像復号部は、前記第１グループ及び前記第２グループの２つのストリームをそれぞれ復号し、
前記差分画像データは、前記第１グループのストリームから復号された画素値又は前記第２グループのストリームから復号された画素値を画素位置に応じて選択的に採用することにより生成される、
請求項１〜６のいずれか１項に記載の画像処理装置。
【請求項８】
前記入力フルカラー画像データは、ＲＡＷ画像データから生成された画像データである、請求項１〜７のいずれか１項に記載の画像処理装置。
【請求項９】
入力フルカラー画像データに対し補正処理を行うことにより生成された補正後画像データを所定の標準符号化方式で符号化することにより生成された主画像符号化ストリームを復号して、前記補正後画像データを出力することと、
前記入力フルカラー画像データと前記補正後画像データに対し前記補正処理の逆処理を行うことにより生成された逆処理後画像データとの間の差分に基づく差分画像データを符号化することにより生成された差分画像符号化ストリームを復号して、前記差分画像データを出力することと、
前記補正後画像データと、前記差分画像データとを合成することと、
を含む画像処理方法。
【請求項１０】
コンピュータを、
入力フルカラー画像データに対し補正処理を行うことにより生成された補正後画像データを所定の標準符号化方式で符号化することにより生成された主画像符号化ストリームを復号する主画像復号部と、
前記入力フルカラー画像データと前記補正後画像データに対し前記補正処理の逆処理を行うことにより生成された逆処理後画像データとの間の差分に基づく差分画像データを符号化することにより生成された差分画像符号化ストリームを復号する差分画像復号部と、
前記主画像復号部の出力と、前記差分画像復号部の出力とを合成する合成部と、
として機能させるためのプログラム。
【請求項１１】
入力フルカラー画像データに対し補正処理を行うことにより生成された補正後画像データを所定の標準符号化方式で符号化して、主画像符号化ストリームを出力する主画像符号化部と、
前記入力フルカラー画像データと前記補正後画像データに対し前記補正処理の逆処理を行うことにより生成された逆処理後画像データとの間の差分に基づく差分画像データを符号化して、差分画像符号化ストリームを出力する差分画像符号化部と、
前記主画像符号化ストリームに前記差分画像符号化ストリームを関連付ける関連付け部と、
を備える画像処理装置。
【請求項１２】
前記標準符号化方式は、ＪＰＥＧ（Joint  Photographic  Experts  Group）方式である、請求項１１に記載の画像処理装置。
【請求項１３】
前記差分画像符号化部は、前記差分画像データを前記標準符号化方式で符号化する、請求項１１又は請求項１２に記載の画像処理装置。
【請求項１４】
前記補正後画像データのビット深度を削減する深度削減部、をさらに備え、
前記主画像符号化部は、前記深度削減部により削減されたビット深度を有する前記補正後画像データを符号化する、
請求項１１〜１３のいずれか１項に記載の画像処理装置。
【請求項１５】
前記差分画像データの画素値を前記差分画像符号化部によりサポートされる画素値レンジに合わせて正規化する正規化部、をさらに備える、請求項１１〜１４のいずれか１項に記載の画像処理装置。
【請求項１６】
前記差分画像データのサイズを縮小する縮小部、をさらに備え、
前記差分画像符号化部は、前記縮小部により縮小された前記差分画像データを符号化する、
請求項１１〜１５のいずれか１項に記載の画像処理装置。
【請求項１７】
前記入力フルカラー画像データにおいて高周波成分が強い値を示す画素位置の前記差分画像データの画素値を一定の値に置換する差分加工部、をさらに備える、請求項１１〜１６のいずれか１項に記載の画像処理装置。
【請求項１８】
前記入力フルカラー画像データにおいて輝度が画素値レンジの中央部分に属する画素位置の前記差分画像データの画素値を一定の値に置換する差分加工部、をさらに備える、請求項１１〜１６のいずれか１項に記載の画像処理装置。
【請求項１９】
所定の輝度閾値を用いて、白とびが生じる可能性のある画素のための第１グループ及び黒つぶれが生じる可能性のある画素のための第２グループを含む複数のグループのいずれかに各画素を分類する分類部、をさらに備え、
前記差分画像符号化部は、前記第１グループの画素についての前記差分画像データと前記第２グループの画素についての前記差分画像データとを別々に符号化する、
請求項１１〜１８のいずれか１項に記載の画像処理装置。
【請求項２０】
前記関連付け部は、前記差分画像符号化ストリームにアクセスするためのパラメータを前記主画像符号化ストリームに付加されるヘッダに挿入する、請求項１１〜１９のいずれか１項に記載の画像処理装置。
【請求項２１】
前記入力フルカラー画像データは、ＲＡＷ画像データから生成される画像データである、請求項１１〜２０のいずれか１項に記載の画像処理装置。
【請求項２２】
ＲＡＷ画像を撮像するイメージセンサ、をさらに備える、請求項２１に記載の画像処理装置。
【請求項２３】
入力フルカラー画像データに対し補正処理を行うことにより生成された補正後画像データを所定の標準符号化方式で符号化して、主画像符号化ストリームを出力することと、
前記入力フルカラー画像データと前記補正後画像データに対し前記補正処理の逆処理を行うことにより生成された逆処理後画像データとの間の差分に基づく差分画像データを符号化して、差分画像符号化ストリームを出力することと、
前記主画像符号化ストリームに前記差分画像符号化ストリームを関連付けることと、
を含む画像処理方法。
【請求項２４】
コンピュータを、
入力フルカラー画像データに対し補正処理を行うことにより生成された補正後画像データを所定の標準符号化方式で符号化して、主画像符号化ストリームを出力する主画像符号化部と、
前記入力フルカラー画像データと前記補正後画像データに対し前記補正処理の逆処理を行うことにより生成された逆処理後画像データとの間の差分に基づく差分画像データを符号化して、差分画像符号化ストリームを出力する差分画像符号化部と、
前記主画像符号化ストリームに前記差分画像符号化ストリームを関連付ける関連付け部と、
として機能させるためのプログラム。
【手続補正２】
【補正対象書類名】明細書
【補正対象項目名】発明の名称
【補正方法】変更
【補正の内容】
【発明の名称】画像処理装置、画像処理方法及びプログラム
【手続補正３】
【補正対象書類名】明細書
【補正対象項目名】０００１
【補正方法】変更
【補正の内容】
【０００１】
本開示は、画像処理装置、画像処理方法及びプログラムに関する。
【手続補正４】
【補正対象書類名】明細書
【補正対象項目名】０００８
【補正方法】変更
【補正の内容】
【０００８】
本開示のある観点によれば、入力フルカラー画像データに対し補正処理を行うことにより生成された補正後画像データを所定の標準符号化方式で符号化することにより生成された主画像符号化ストリームを復号する主画像復号部と、前記入力フルカラー画像データと前記補正後画像データに対し前記補正処理の逆処理を行うことにより生成された逆処理後画像データとの間の差分に基づく差分画像データを符号化することにより生成された差分画像符号化ストリームを復号する差分画像復号部と、前記主画像復号部の出力と、前記差分画像復号部の出力とを合成する合成部と、を備える画像処理装置が提供される。
また、本開示の別の観点によれば、入力フルカラー画像データに対し補正処理を行うことにより生成された補正後画像データを所定の標準符号化方式で符号化して、主画像符号化ストリームを出力する主画像符号化部と、前記入力フルカラー画像データと前記補正後画像データに対し前記補正処理の逆処理を行うことにより生成された逆処理後画像データとの間の差分に基づく差分画像データを符号化して、差分画像符号化ストリームを出力する差分画像符号化部と、前記主画像符号化ストリームに前記差分画像符号化ストリームを関連付ける関連付け部と、を備える画像処理装置が提供される。
【手続補正５】
【補正対象書類名】明細書
【補正対象項目名】０００９
【補正方法】変更
【補正の内容】
【０００９】
また、本開示のある観点によれば、入力フルカラー画像データに対し補正処理を行うことにより生成された補正後画像データを所定の標準符号化方式で符号化することにより生成された主画像符号化ストリームを復号して、前記補正後画像データを出力することと、前記入力フルカラー画像データと前記補正後画像データに対し前記補正処理の逆処理を行うことにより生成された逆処理後画像データとの間の差分に基づく差分画像データを符号化することにより生成された差分画像符号化ストリームを復号して、前記差分画像データを出力することと、前記補正後画像データと、前記差分画像データとを合成することと、を含む画像処理方法が提供される。
また、本開示の別の観点によれば、入力フルカラー画像データに対し補正処理を行うことにより生成された補正後画像データを所定の標準符号化方式で符号化して、主画像符号化ストリームを出力することと、前記入力フルカラー画像データと前記補正後画像データに対し前記補正処理の逆処理を行うことにより生成された逆処理後画像データとの間の差分に基づく差分画像データを符号化して、差分画像符号化ストリームを出力することと、前記主画像符号化ストリームに前記差分画像符号化ストリームを関連付けることと、を含む画像処理方法が提供される。
【手続補正６】
【補正対象書類名】明細書
【補正対象項目名】００１０
【補正方法】変更
【補正の内容】
【００１０】
また、本開示のある観点によれば、コンピュータを、入力フルカラー画像データに対し補正処理を行うことにより生成された補正後画像データを所定の標準符号化方式で符号化することにより生成された主画像符号化ストリームを復号する主画像復号部と、前記入力フルカラー画像データと前記補正後画像データに対し前記補正処理の逆処理を行うことにより生成された逆処理後画像データとの間の差分に基づく差分画像データを符号化することにより生成された差分画像符号化ストリームを復号する差分画像復号部と、前記主画像復号部の出力と、前記差分画像復号部の出力とを合成する合成部と、として機能させるためのプログラムが提供される。
また、本開示の別の観点によれば、コンピュータを、入力フルカラー画像データに対し補正処理を行うことにより生成された補正後画像データを所定の標準符号化方式で符号化して、主画像符号化ストリームを出力する主画像符号化部と、前記入力フルカラー画像データと前記補正後画像データに対し前記補正処理の逆処理を行うことにより生成された逆処理後画像データとの間の差分に基づく差分画像データを符号化して、差分画像符号化ストリームを出力する差分画像符号化部と、前記主画像符号化ストリームに前記差分画像符号化ストリームを関連付ける関連付け部と、として機能させるためのプログラムが提供される。